(57)【要約】【課題】モータ，バッテリの容量を大きくすることなく、高効率運転を可能とするエンジン−電気モータのハイブリッド車の提供を課題とする。【解決手段】上記課題は、リーンバーンにより高効率運転領域を拡大し、低トルク時のエンジンによる運転を多くし、バッテリによるモータ運転領域を低減する。【選択図】図８
2006248519.tif 000002
【特許請求の範囲】
【請求項１】
エンジンと、
トルクアシストモータジェネレータにインバータを介してつながるバッテリと、
エンジンの排気にリーン運転時にＮＯｘを還元させるリーンＮＯｘ触媒と、
空燃比及びエンジン，トルクアシストモータジェネレータのトルク配分を変化させる制御装置とを有することを特徴とするハイブリッド自動車。
【請求項２】
請求項１に記載のハイブリッド自動車において、
リーンＮＯｘ触媒はリーン運転時にＮＯｘ成分を吸着させ、リッチ運転時に還元させることを特徴とするハイブリッド自動車。
【請求項３】
請求項２に記載のハイブリッド自動車において、
リッチ運転により燃料中のＳＯｘ被毒による触媒劣化を再生することを特徴とするハイブリッド自動車。
【請求項４】
請求項２に記載のハイブリッド自動車において、
ＮＯｘ吸着量推定手段と、
ＳＯｘ劣化推定手段と、
再生制御判定手段と、
再生制御時に空燃比をストイキよりリッチにして、そのときにエンジンのトルクを低下させると共に駆動軸のトルクに段差がないようにモータのトルクを制御することを特徴とするハイブリッド自動車。
【発明の詳細な説明】
【技術分野】
【０００１】
本発明は、エンジン及び電気モータを有するハイブリッド自動車の制御装置及びその制御方法に関する。
【背景技術】
【０００２】
エンジンと電気モータを用いるハイブリッド自動車では、エンジンで発生させた動力を直接又は発電機によって電気エネルギに変換し、電気エネルギをモータによって機械エネルギに変換又はバッテリに貯蓄する。バッテリのみでエネルギを供給する電気自動車に比べて走行距離を長くできるなどメリットがある。
【０００３】
特開平９−３７４１０号公報ではエンジン，動力分配機構，モータジェネレータを備えた構成を開示している。このようなハイブリッド車では、要求駆動トルクが大きいときには、エンジンで駆動すると共に、エンジンの動力の一部を車速アシスト用のモータジェネレータに分配し、ジェネレータとして作用させ、その発電電力によって駆動用モータからトルクのアシストを行い、駆動トルクを大きくしている。
【０００４】
一方、駆動トルクが小さく、車速が大きいときには、エンジンの駆動トルクの一部を駆動トルクアシスト用のモータジェネレータから回収し、その電力によって差動モータジェネレータをモータとして動作させ、高車速での運転を可能としている。
【０００５】
【特許文献１】特開平９−３７４１０号公報
【発明の開示】
【発明が解決しようとする課題】
【０００６】
このような構成では車速が小さく、要求駆動トルクが小さい運転を行う（要求駆動出力が小さい）ときには、エンジントルクの小さい領域で運転することが必要である。エンジントルクが小さい領域では、絞り弁を閉じた運転をするので、ポンピング損失が大きくなり、燃費が悪化しやすい。
【０００７】
また、ポンピング損失が大きい領域での運転を制限するとエンジンで運転する運転域が小さくなり、加速時にトルクをアシストするためにモータが大きくなるという問題点がある。
【０００８】
低速，低トルクのときにエンジンの運転を止めるとバッテリでの運転が多くなり、バッテリ容量が大きくなったり、バッテリの充電，放電制御を頻繁に行う必要が生ずるという問題点があった。
【０００９】
高効率運転を実現するにはエンジンと変速機を組み合わせ、変速段（無段変速比なら変速比）を小さく選べ、なるべくエンジントルクの大きい領域での運転を行うことによって実現できる。しかし、すでに最大トルク近傍の運転をしているので、加速時の余裕トルクがなく、加速感が悪く、運転性が低下するという問題点もある。
【課題を解決するための手段】
【００１０】
そこで、本発明の第１目的は、モータ，バッテリの容量を大きくすることなく、高効率運転を可能とするエンジン−電気モータのハイブリッド車を提供することにある。
【００１１】
本発明の第２の目的は高効率運転時の運転性を確保することにある。
【００１２】
この第１の目的を達成するためには、リーンバーンにより高効率運転領域を拡大し、低トルク時のエンジンによる運転を多くし、バッテリによるモータ運転を低減することにより実現できる。
【００１３】
リーンバーンでは絞り弁を開くので、ポンピング損失を低減できるメリットがある。この場合、低トルク時のエンジンのポンピング損失を低減する方法として、吸気バルブタイミングを制御し、吸入空気量を制御してもよい。
【００１４】
第２の目的は要求エンジン出力で運転するのに、エンジン回転数の大きな領域を選定し、余裕トルクを確保することによって実現できる。
【００１５】
たとえば、アクセル開度の変化によって、運転者が燃費を重視しているのか、運転性を重視しているのか判定し、運転性を重視するときには余裕トルクの大きいエンジン運転域を選定する。エンジン回転数の高い領域は最高効率点よりは燃費が悪化するが、運転性を優先する。
【発明の効果】
【００１６】
本発明により、モータ，バッテリの容量を大きくすることなく、高効率運転を可能とするエンジン−電気モータのハイブリッド車を提供することでき、かつ高効率運転時の運転性を確保することが可能である。
【００１７】
これらはリーンバーンにより高効率運転領域を拡大し、低トルク時のエンジンによる運転を多くし、バッテリによるモータ運転を低減することにより実現できる。リーンバーンでは絞り弁を開くので、ポンピング損失を低減できるメリットがある。この場合、低トルク時のエンジンのポンピング損失を低減する方法として、吸気バルブタイミングを制御し、吸入空気量を制御してもよい。
【００１８】
また要求エンジン出力で運転するのに、エンジン回転数の大きな領域を選定し、余裕トルクを確保することによって実現できる。たとえば、アクセル開度の変化によって、運転者が燃費を重視しているのか、運転性を重視しているのかを判定し、運転性を重視するときには余裕トルクの大きいエンジン運転域を選定する。エンジン回転数の高い領域は最高効率点よりは燃費がわずかに悪化するが、運転性を向上することが可能となる。
【発明を実施するための最良の形態】
【００１９】
本発明の実施例を図面に基づいて説明する。
【００２０】
図１に本発明の構成を示す。エンジン８０と駆動アシスト用モータジェネレータ８１，差動モータジェネレータ８３，動力分配機構８２，バッテリ８７，インバータ８４，８５から構成される。エンジン８１は空燃比によってエンジンの出力を制御できる筒内噴射エンジンが望ましい。筒内噴射エンジンは筒内に燃料を直接噴射し、混合気分布を制御できるので、超リーンバーン運転が可能である。駆動車輪８８はエンジン８１及び駆動アシスト用モータジェネレータ８１，差動用モータジェネレータ８３により駆動される。エンジンの効率を最大にするように駆動トルクの分配を制御する。エンジン，モータは制御用コントロールユニット（図示せず）により、最適に制御される。
【００２１】
図２に動力分配機構８２の構成例を示す。はずば歯車の８２ａ−８２ｈにより出力の分配を行う。エンジンの出力は歯車８２ａを介して８２ｆに伝わり、８２ｇ，８２ｈによって、駆動車輪８８を駆動する。モータジェネレータ（以下ＭＧ）８１の軸は、歯車８２ｈと同軸になっており、ＭＧに電気が加えられていないときには歯車の出力がそのまま伝わる。ＭＧ８３がモータとして動作し、歯車８２ｃを駆動すると、歯車８２ｇでの回転が加算され、駆動軸の回転が高くなり、高車速での運転が可能となる。バッテリ８７の電気はインバータ８１を介して、駆動アシスト用のＭＧ８１を駆動したり、インバータ８５を介して、差動用のＭＧを駆動する。
【００２２】
図３に本発明の基本動作を車速アシストする場合について示す。エンジン８０からの出力は歯車８２ａ，８２ｅ，８２ｄ，８２ｇを通って、駆動車輪８８に伝わる。駆動トルクが小さく、車速が高いような高速平地走行などでは、駆動アシストＭＧ８１を発電機として作用させ、発電電力で車速アシスト用の差動ＭＧ８３をモータとして作用させる。ＭＧ８３が歯車８２ｃを回転させると歯車８２ｇの出力回転を増速することができる。
【００２３】
図４に本発明の基本動作を駆動トルクアシストする場合について示す。エンジン８０からの出力は歯車８２ａ，８２ｅ，８２ｄ，８２ｇを通って、駆動車輪８８に伝わる。駆動トルクが大きく、車速が高く、駆動トルクの小さな高速走行運転時には、エンジントルクの一部を動力分配機構８２によって分配し、車速アシスト用の差動ＭＧ８３を駆動し、トルクをアシストする。このように、動力分配機構８２によってエンジンの動力を分配し、トルクアシスト用ＭＧ８１，車速アシスト用ＭＧ８３を最適制御することにより、駆動トルクを制御することができる。
【００２４】
図５に車速と駆動トルクの関係を示す。同一のエンジン出力において、エンジントルクよりも大きな駆動トルクが必要な場合にはトルクアシストＭＧをモータとして動作させ、エンジントルクとモータトルクを合成し、駆動トルクを大きくする。一方、車速が必要な場合には、トルクアシストＭＧを発電機として動作させ、車速アシスト用の差動ＭＧをモータとして動作させて、車速をアシストする。これにより、エンジンの運転点を一つでも駆動トルクと車速を同一出力において変化させることができる。
【００２５】
以上の説明は動力分配機構として差動歯車を例に説明したが、遊星歯車機構など他の機構を用いても構わない。
【００２６】
図６にエンジンの構成の一例を示す。空気は空気量検出センサ７，絞り弁１０，吸気管１１，吸気弁１６を介して、エンジン１３へ吸入される。空気量は絞り弁１０の開度、吸気弁１６の開度を変化させることによって制御できる。空気量は空気量検出センサ７によって計量される。必要に応じて、吸気管内圧力センサ３１，筒内圧力センサ４２によって、吸気管，気筒内の圧力をそれぞれ検出する。吸気弁はたとえば電磁ソレノイド１８，
１９へ駆動回路３０より電圧を印加することによって可動部２２が電磁力の作用によって動き、それにつながった吸気弁１６が開閉動作する。駆動回路はエンジン制御ユニット
１２に内蔵してもよい。排気弁１７についても同様な作用をする。燃料は筒内に直接燃料を噴射できるインジェクタ１より供給される。インジェクタは駆動回路３２によって駆動される。絞り弁はモータ９によって開閉動作し、その開度はスロットルセンサ８により検出される。アクセル開度αはアクセル開度センサ（図示せず）によって検出され、少なくともアクセル開度センサ信号に基づき、吸排気弁が制御される。制御装置１２は上記センサの信号に基づき、絞り弁，吸排気弁などを制御する。
【００２７】
このような構成では、燃料を気筒内に直接噴射しているので、気筒内の混合気を直接制御でき、空燃比の大きな混合気での運転すなわちリーンバーン運転が可能である。これにより絞り弁を開いた運転が可能になり、ポンピング損失を低減することができる。さらに、上記のように吸排気バルブの開閉時期，期間を制御することによって、気筒内の吸入空気量を制御できるので、絞り弁によらず空気量の調整が可能であり、ポンピング損失低減に一層の効果がある。
【００２８】
図７にエンジンのトルク，燃料消費率特性を示す。エンジン軸トルクの大きな領域で燃料消費率が小さくなり、燃費がよい。これは軸トルクが大きくなると絞り弁の開度が大きくなり、ポンピング損失が低減するためである。絞り弁全開よりも低いところに燃費最良点があるのはこのエンジンでは空燃比が濃く設定されているためである。中高負荷領域となるようにエンジンを運転することによってエンジンの効率を高めることができる。一方、エンジンのトルクが小さくなるとポンピング損失が増加するので、モータによる運転を行っている。このため、従来のハイブリッドシステムではモータによる運転が多くなり、モータに充放電制御を頻繁に行ったり、バッテリを大きくする必要がある。さらに高いトルクまでモータで運転するので、大きなモータを備える必要が生じる。モータ，バッテリにより車体が重くなるため、エンジン，モータによる高効率運転により燃費を改善しても、車重の増加分で燃費が悪化し、全体として燃費改善の効果が少なくなってしまう。
【００２９】
図８に本発明におけるエンジンの運転方法を示す。空燃比をストイキ（１４.７ ）に対して、２０，４０のように大きくすると、全開運転のときのトルクが小さくなる。このとき絞り弁の開度は大きくなり、ポンピング損失を低減できるので、エンジントルクが低い運転領域でも燃費を向上することができる。このため、モータでの運転が少なくなり、小型のモータでの使用が可能で、バッテリも小さくできるので、軽量化が可能である。例えば、空燃比４０で運転し、さらにエンジン出力が必要になったときには空燃比を小さくするように変化させ、トルクを増大する。空燃比を２０より小さくしたときにはストイキ
（１４.７ ）で運転し、さらにエンジン出力が必要なときにはエンジン回転数を増大させる。
【００３０】
図９にエンジントルクとエンジン回転数に対する目標空燃比，ＥＧＲの付加を示す。エンジントルク，エンジン回転数が小さい、いわゆる低負荷時には空燃比４０以上の超リーンバーン運転を行い、燃費低減を図る。負荷の増大と共に空燃比２０〜４０でＥＧＲを付加した運転、空燃比ストイキ（１４.７ ）でＥＧＲを付加した運転、さらに負荷が大きくなるとＥＧＲを付加しない運転状態にする。ＥＧＲを加えることによってＮＯｘを低減することができる。絞り弁全開ではエンジン出力を大きくするため、ＥＧＲを止めて、空気を多く気筒内に吸入し、より多くの燃料を燃焼させる。
【００３１】
図１０にエンジン内の空気流動パターンの制御例を示す。エンジントルク，エンジン回転数が小さい、いわゆる低負荷時には空燃比４０以上の超リーンバーン運転では、点火プラグ付近に混合気を集中させること（成層化）が必要である。エンジン内に逆タンブル流を形成し、空気流によって、点火プラグ方向に燃料を搬送する。負荷の増大したときの空燃比２０〜４０でＥＧＲを付加した運転では、点火プラグ周囲に混合気を集中しすぎると、酸素不足となり、スモークを発生しやすくなる。そこで、気筒内の流動をスワールとして、比較的気筒内の混合気が集中しすぎないようにする。スワール流はピストンが圧縮上死点に近づいたときでも、流動が保存されやすいので、空気と燃料の混合の促進に有効である。また、ＥＧＲを付加した場合、ＥＧＲと混合気の混合を良くし、燃焼を安定化させる効果もある。混合気の空燃比ストイキ（１４.７ ）でＥＧＲを付加した運転でもスワール流とする。さらに負荷が大きくなるとＥＧＲを付加しない運転状態では出力を大きくするために、多くの空気を導入することが必要で、吸気弁，吸気管などに抵抗を設けることなく、吸気管の形状できまる流動とする。出力を向上するには気筒内で空気と燃料の混合を促進し、空気利用率を大きくすることが大切である。順タンブルによって、ピストンキャビテイ内にある燃料もかき出し、空気と燃料の混合を促進する。
【００３２】
図１１にエンジントルクとエンジン回転数に対する目標空燃比，ＥＧＲの付加する場合の他の実施例を示す。エンジントルク，エンジン回転数が小さい、いわゆる低負荷時には空燃比８０から４０の超リーンバーン運転を行い、燃費低減を図る。負荷の増大と共に空燃比２０〜４０でＥＧＲを付加した運転、空燃比ストイキ（１４.７ ）でＥＧＲを付加した運転、さらに負荷が大きくなるとＥＧＲを付加しない運転状態にする。ＥＧＲを加えることによってＮＯｘを低減することができる。絞り弁全開ではエンジン出力を大きくするため、ＥＧＲを止めて、空気を多く気筒内に吸入し、より多くの燃料を燃焼させる。
【００３３】
図１２に燃焼の制御例を示す。エンジントルク，エンジン回転数が小さい、いわゆる低負荷時には点火プラグからの火炎伝播でなく、ピストンの圧縮熱によって圧縮着火させる。この場合には混合気が各箇所で点火されるので、伝播距離が短くなり空燃比８０のような非常に薄い混合気での燃焼が可能となる。さらに空燃比が小さくなる運転域では点火プラグ周囲に混合気を集める成層燃焼、さらに空燃比を小さくするときには気筒内で空気と燃料を均質に混合する均質混合気による燃焼を行う。
【００３４】
加速運転時のエンジンの制御方法を図１３に示す。要求エンジン出力を満足する場合、たとえば点Ａまたは点Ｂを選ぶことができる。燃費をよくするためにはポンピング損失の少ない、点Ａでの運転を行う。このときに加速をするときにはエンジンの最大トルクまでの余裕がないので、モータによりトルクをアシストする必要がある。このときにはモータが大きくなるという問題点がある。点Ｂで運転をすると絞り弁開度が小さいので、ポンピング損失が大きくなり、燃費が悪化する。このときには最大トルクまでの余裕があるので、モータのアシストがなく（または小さくても）十分な加速感が得られる。すなわち、燃費と加速感を両立するためにはモータを大きくする必要がある。
【００３５】
図１４に本発明での制御例を示す。空燃比４０で運転することにより点Ｂにおいても絞り弁開度が大きくできるので、ポンピング損失が小さくでき、燃費を向上できる。このときには最大エンジントルクまでの余裕があるので、加速感をうることができる。点Ａに比べて、点Ｂは燃費が若干悪いが、運転性を重視するような運転領域では点Ｂを選ぶ。運転者の指向は例えばアクセル開度の変化の頻度が多いときには運転性を重視していると判断、アクセル開度の変化が少なく、定常運転しているときには燃費を重視していると判断するなど少なくともアクセル開度のデータを用いて判定することができる。
【００３６】
図１５に本発明の他の動作例を示す。空燃比として、４０，２０，１５という空燃比をリニアに変化させることなく、ステップ状に変化させる。この場合には空燃比の制御が簡単になるメリットがある。また、空燃比２０から１５の間でＮＯｘがでる空燃比を避けることができるので、排気対策上、有効である。しかし、空燃比をステップ的に変化させるとエンジントルクも変化するので、運転性に問題を生ずるため、スロットル開度をモータなどで制御して、トルク段差をなくす。
【００３７】
本発明では駆動軸にモータを備えているので、図１６に示すように、アクセル開度に合わせて、駆動トルクを制御しようとする場合、まずモータによりトルクの制御を精密に行い、あるトルク以上になったときにエンジンの空燃比を４０から２０に切り替える。このときトルクの段差があるので、モータのトルクを調整し、駆動トルクに段差が生じないようにすることが可能である。この場合、エンジン及びモータにおいて、目標トルクに対する応答性が異なるので、動的なエンジン，モータモデルにより、過渡時のトルクの応答を制御する。
【００３８】
図１７に本発明のブロック図を示す。アクセル開度，車速，バッテリ容量，ブレーキ，エアコンなどの信号から目標駆動トルクを演算する。目標駆動トルクは分配駆動トルク演算手段によりエンジントルクとモータトルクを配分し、スロットル開度，空燃比，車速アシストＭＧ制御，トルクアシストＭＧ制御を行う。このような構成では上記の説明以外にも、アイドル時にはエンジンを止めたり、減速時にはトルクアシストＭＧによりエネルギを積極的に回収し、バッテリに蓄える。リーンバーン運転では絞り弁開度が大きいので、エンジンブレーキの効きが悪くなりやすいので、トルクアシストＭＧによりブレーキをかけ、運転者に違和感を与えないようにする。バッテリが一杯でトルクアシストＭＧからエネルギ回収できないときには、エンジンの絞り弁または吸気弁を閉じて、エンジンブレーキを効かせるようにしてもよい。
【００３９】
図１８に他の実施例を示す。アクセル開度，車速などのデータから運転状態を判定し、燃費重視であるか、運転性重視であるかを判定し、エンジントルク制御を行う。燃費重視であるときには、余裕トルクのあまりない、燃費のよい運転を行う。運転性重視では、若干燃費が悪化するが、余裕トルクのある運転をする。
【００４０】
図１９に本発明の他の実施例を示す。駆動モータの出力に変速機（有段または無段）を備える。目標駆動トルク演算手段の結果に基づき、エンジントルク，モータトルクの分配を決めるとともに変速比を演算する。
【００４１】
図２０に示すように、駆動トルクは変速比で制御するとともに各変速段の間のトルクを前述のトルクアシストＭＧ、車速アシスト用の差動ＭＧにより制御する。これにより、
ＭＧの容量が小さくても駆動トルクの制御を行うことが可能であり、駆動トルクの制御範囲を広くすることができるので、伝達効率の低いトルクコンバータや流体継手を用いずに、運転が可能である。これによって有段ギアとＭＧによって駆動トルクの制御が可能となる。
【００４２】
図２２に本発明の他の実施例を示す。リーンバーン燃焼の時のＮＯｘを浄化させるためにリーンＮＯｘ触媒３５ａを用いる。リーンバーン運転時には排気管の中が酸素過剰、すなわち酸化雰囲気であるため、通常の三元触媒ではＮＯｘを還元することができない。リーン触媒はＮＯｘを触媒に吸着させ、リッチ運転時に排気中の未燃焼炭化水素により酸化雰囲気でも還元することができる。本実施例ではエンジンとして、筒内噴射、可変吸排気バルブを装着しているが、吸気ポート噴射によるリーンバーンに対しても有効である。
【００４３】
図２３に経過時間に対するリーンＮＯｘ触媒の浄化率の変化を示す。時間と共にＮＯｘ浄化率が低下している。これはリーン運転を続けると触媒にＮＯｘを吸着した量が多くなり、吸着できずに放出されるためである。空燃比を１３のようにリッチ運転を行うと未燃炭化水素により吸着ＮＯｘが還元され、再び浄化率が向上する。
【００４４】
さらに図２４に示すようにさらに長い経過時間とともに、特に燃料中に硫黄分の多い燃料を用いると、触媒の表面にＳＯｘが付着し、浄化率が低下する。しかしこの場合でもリッチ運転を行うことにより浄化率を向上することができる。この場合にはＮＯｘ吸着量の放出に比べて長い時間のリッチ運転が必要となる。いずれの場合においても、リッチ運転が必要であり、エンジンの効率が低下し、燃費が悪化する。
【００４５】
そこで、図２５に示すように空燃比、吸入空気量，エンジン回転数，燃料噴射タイミングなどのデータよりＮＯｘ吸着量を推定し、さらに運転時間の長さなどからＳＯｘ劣化の程度を推定する。またはＮＯｘ触媒の出口にＮＯｘセンサまたは入口と出口にＮＯｘセンサや酸素濃度センサを装着してＮＯｘ触媒の吸着，ＳＯｘ劣化度を求めて、再生運転を行い、そのときにエンジン及びモータトルクの制御を行う。
【００４６】
図２６にフローチャートを示す。上記のようにＮＯｘ吸着量及びＳＯｘ劣化度を推定して、再生制御を行うか判定する。再生制御が必要な場合にはエンジンのトルクを小さくして、エンジンで消費される燃料量を、再生制御ができる範囲で少なくする。エンジンのトルクが低下すると駆動軸のトルクが低下し、運転性が悪化するので、トルク段差がないように、駆動モータのトルクを増加させる。その後リッチ運転を行い、再生制御を実施する。これによって、エンジンのトルクが少ない、すなわち燃料消費量が少ない状態で、リッチにするので、車全体として燃費の悪化が少ない。再生制御が終了すると再びエンジンのトルクを増加させ、トルク段差がないように駆動モータのトルクを調整し、リーン運転を行う。
【００４７】
図２７に駆動トルクに占めるエンジン及びモータの分担を示す。通常運転時にはエンジンで主に運転を行う。一方、再生制御時にはエンジンのトルクを少なくして、トルク段差がないように、モータトルクの調整を行う。
【００４８】
これにより、図２８に示すように通常運転のまま、再生制御を行ったのに比べて、エンジンのリッチ化による燃費の悪化代が少なくなり、燃費を悪化させることなく、触媒の再生を行うことができる。
【００４９】
吸着量の還元のために比べて、ＳＯｘ再生時は比較的長い時間のリッチ運転が必要になるので、燃費への悪化分が大きいので、ＳＯｘ再生時のみ本発明のような制御を行ってよい。
【００５０】
図２９に本発明の他の実施例を示す。空燃比を可変にできるエンジン８０に無段階に変速比が可変できる無段変速機１００及びトルクアシストモータジェネレータ８１を備える。エンジンはリーンバーンによってポンピング損失を低減できる。筒内噴射がリーンバーン時の空燃比を大きくできるので望ましいが、吸気ポート噴射でもよい。エンジン停止時にモータ運転をするために、モータジェネレータ８１とエンジン８０を切り離すための、クラッチ１５０を設ける。
【００５１】
図３０に無段変速機１００とモータジェネレータ８１の構成を示す。モータアシストするために駆動軸にモータを一体化することも可能である。これによりモータの配置をコンパクトにできる。
【００５２】
図３１に車速と駆動軸トルクの関係を示す。無段変速機１００の場合、連続的に変速比を変えることができるので、駆動軸トルクを連続的に変化できる。これにより、有段変速機のようにトルクコンバータによるトルク増倍が不要であり、トルクコンバータでの伝達効率の悪化を避けることができる。また、エンジントルクに対し、連続的に駆動トルクを制御することができる。
【００５３】
図３２に本発明のブロック図を示す。目標駆動トルクに対して、変速比，分配駆動トルクを演算し、エンジントルク及びモータトルクを演算する。エンジントルク，回転数に応じて、効率のよくなる空燃比，スロットル開度を計算する。エンジントルクが低いときにはクラッチを切り離し、トルクアシストモータの制御を行う。目標変速比に基づき、無段変速機の変速比を制御する。
【００５４】
エンジンは図８，図１５のようにエンジントルク，回転数に基づき効率のよい空燃比を選択する。ポート噴射では空燃比２５程度がリーン運転限界である。
【００５５】
図３３に本発明の他の実施方式を示す。空燃比を変化させる変わりに、吸気弁のタイミングを変化させ、吸入空気量を変えて、エンジン運転を行うことによりポンピング損失を低減できるので、吸気弁制御を行ってもよい。さらに排気ガスの環流（ＥＧＲ）によりポンピング損失を低減させてもよい。
【００５６】
図３４に本発明の他の実施例を示す。筒内噴射エンジン８０と変速機１００の間にモータジェネレータ３００を設ける。変速機は駆動車輪８８に接続される。モータジェネレータ３００はモータとしてエンジンの始動，加速時の駆動力アシスト，エンジンのトルク変動を吸収するトルク変動抑制機能をもつ。また、発電機として動作させ、減速運転時のエネルギ回収やエンジン駆動により発電させ、必要電力を供給することが可能である。モータジェネレータ３００はインバータ８４を介して、バッテリ３０３に接続される。バッテリ３０３は例えば４２Ｖの電圧である。バッテリ３０３には降圧用のＤＣ−ＤＣコンバータ３０３を接続し、バッテリ３０９に接続する。バッテリ３０９は例えば１４Ｖである。バッテリ３０９には他の電動補機３０４−３０６を接続する。また、バッテリ３０３に昇圧用のＤＣ−ＤＣコンバータ３０８を設け、電磁式吸気，排気弁の駆動回路３０を駆動してもよい。
【００５７】
また、バッテリ３０３には例えば燃料噴射弁３０２の駆動回路３０１を接続し、燃料噴射弁を、駆動する。通常、筒内噴射の場合、燃料圧力を１００気圧として、１ｍｓ以下の弁の開閉時間の応答性を要求されるので、４０Ｖ以上の電圧を供給する必要がある。このため、１４Ｖのバッテリのみを備えた場合ではＤＣ−ＤＣコンバータを燃料噴射弁の駆動のために設ける必要があり、コストアップになる。４２Ｖのバッテリを用いることによって、燃料噴射弁の駆動回路にＤＣ−ＤＣコンバータが不要になり、回路が簡素化され、エンジンコントロールユニットと同じ基盤に回路を形成できるようになる。また、電圧を高くすることによって、１４Ｖに比べて、他の電気アクチュエータを駆動する場合でも、電流を少なくすることができ、アクチュエータの小型化にも有効である。
【００５８】
本発明のようにアイドルストップと筒内噴射エンジンを組み合わせることによって、アイドルストップによるアイドル時に燃費低減、筒内噴射のリーンバーンにより走行時に燃費低減を図ることができる。また、アイドルストップを繰り返すとポート噴射では始動クランキング時の燃料が吸気管に付着し、排気が悪化しやすいが、筒内噴射により吸気管への燃料付着を防止し、排気を向上するメリットもある。
【００５９】
図３５に本発明の他の実施例を示す。エンジンに例えば４２Ｖを発生させるオルタネータ８４を設ける。スタータ３２１は別個に設ける。このような構成では従来のエンジンのレイアウトを大幅に変更することなく、４２Ｖの供給が可能である。
【００６０】
図３６にモータジェネレータ３００の構成の一例を示す。エンジン８０，変速機１００の間にロータ４０３を接続する。ロータには永久磁石４０１が取り付けられる。ステータ４０２のコイルにはインバータ８４，バッテリ３０３が接続され、インバータを制御することによって、モータ又は発電機として、動作する。
【００６１】
図３７に噴射弁の駆動回路の一例を示す。噴射弁のコイル４１０はバッテリ３０３からの電圧をスイッチ（ＭＯＳ−ＦＥＴなど）４０９，４０８によって制御する。図３８に示すように噴射の駆動信号（開閉信号）に応じて、駆動電流を制御することによって、噴射弁の開弁時間短縮，開弁中のホールド電流削減を図ることができる。
【００６２】
図３９に本発明の他の実施例を示す。発電電圧の異なる２つのオルタネータ３２０，
３２３を設ける。これによって、例えば１４Ｖ及び４２Ｖの電圧を発生することができ、降圧用のＤＣ−ＤＣコンバータなど削除することができる。
【図面の簡単な説明】
【００６３】
【図１】本発明のシステム図を示す。
【図２】本発明のシステム図を示す。
【図３】本発明の動作説明図を示す。
【図４】本発明の動作説明図を示す。
【図５】本発明の動作説明図を示す。
【図６】エンジンの構成を示す。
【図７】従来システムの動作説明図を示す。
【図８】本発明の動作説明図を示す。
【図９】空燃比，ＥＧＲ制御の一例を示す。
【図１０】空気流動制御方法の一例を示す。
【図１１】空燃比，ＥＧＲ制御の一例を示す。
【図１２】燃焼制御方法の一例を示す。
【図１３】従来システムの動作説明図を示す。
【図１４】本発明の動作説明図を示す。
【図１５】本発明の他の実施例を示す。
【図１６】過渡時の駆動トルク制御を示す。
【図１７】本発明のブロック図を示す。
【図１８】本発明の他のブロック図を示す。
【図１９】本発明のシステムの他の実施例を示す。
【図２０】本発明のブロック図を示す。
【図２１】本発明の動作説明図を示す。
【図２２】本発明の他の実施例を示す。
【図２３】ＮＯｘ触媒の動作例を示す。
【図２４】ＮＯｘ触媒の動作例を示す。
【図２５】本発明のブロック図を示す。
【図２６】本発明のフローチャートを示す。
【図２７】本発明の動作説明図を示す。
【図２８】本発明の効果を示す。
【図２９】本発明の他の実施例を示す。
【図３０】本発明の他の実施例を示す。
【図３１】無段変速機の動作を示す。
【図３２】本発明のブロック図を示す。
【図３３】本発明の動作説明図を示す。
【図３４】本発明の他の実施例を示す。
【図３５】本発明の他の実施例を示す。
【図３６】本発明の動作説明図を示す。
【図３７】噴射弁の駆動回路を示す。
【図３８】駆動電流波形を示す。
【図３９】本発明の他の実施例を示す。
【図１】
2006248519.tif 000003
【図２】
2006248519.tif 000004
【図３】
2006248519.tif 000005
【図４】
2006248519.tif 000006
【図５】
2006248519.tif 000007
【図６】
2006248519.tif 000008
【図７】
2006248519.tif 000009
【図８】
2006248519.tif 000010
【図９】
2006248519.tif 000011
【図１０】
2006248519.tif 000012
【図１１】
2006248519.tif 000013
【図１２】
2006248519.tif 000014
【図１３】
2006248519.tif 000015
【図１４】
2006248519.tif 000016
【図１５】
2006248519.tif 000017
【図１６】
2006248519.tif 000018
【図１７】
2006248519.tif 000019
【図１８】
2006248519.tif 000020
【図１９】
2006248519.tif 000021
【図２０】
2006248519.tif 000022
【図２１】
2006248519.tif 000023
【図２２】
2006248519.tif 000024
【図２３】
2006248519.tif 000025
【図２４】
2006248519.tif 000026
【図２５】
2006248519.tif 000027
【図２６】
2006248519.tif 000028
【図２７】
2006248519.tif 000029
【図２８】
2006248519.tif 000030
【図２９】
2006248519.tif 000031
【図３０】
2006248519.tif 000032
【図３１】
2006248519.tif 000033
【図３２】
2006248519.tif 000034
【図３３】
2006248519.tif 000035
【図３４】
2006248519.tif 000036
【図３５】
2006248519.tif 000037
【図３６】
2006248519.tif 000038
【図３７】
2006248519.tif 000039
【図３８】
2006248519.tif 000040
【図３９】
2006248519.tif 000041